(57)【要約】【課題】  ＩＰ電話システムにおいて、ＳＩＰプロトコル上で作動する他の端末装置に影響を及ぼすことなく、パーク機能を実現できるＩＰ電話システムを提供する。【解決手段】  ＩＰ電話端末間で通話状態にある第一のＩＰ電話端末からのパーク指示を受けて、第二のＩＰ電話端末との間の接続を切断すると共に、切断された第二のＩＰ電話端末と上記サーバとを接続してパーク保留する一方、上記パーク指示を出した第一の前記ＩＰ電話端末からパーク解除指示があったとき、前記第二のＩＰ電話端末と上記サーバとのパーク保留を解除すると共に、前記第一のＩＰ電話端末と前記第二のＩＰ電話端末との接続を復元するパーク装置を備える。【選択図】      図１
2006217256.tif 000002
【特許請求の範囲】
【請求項１】
インターネット・プロトコルに準拠した複数のＩＰ電話端末と、これら複数のＩＰ電話端末における接続管理を所定の通信プロトコルに基づいて制御するサーバとがネットワークに接続されたＩＰ電話システムであって、
前記サーバは、上記ネットワークに接続された前記複数のＩＰ電話端末の接続情報を保持するユーザ情報テーブルと、
このユーザ情報テーブルに保持された前記接続情報の登録更新処理および読み出し処理を行うユーザ登録管理部と、
このユーザ登録管理部を介して読み出された前記ユーザ情報に基づき前記複数のＩＰ電話端末に対する呼制御を行う呼制御実行部と、
前記ＩＰ電話端末間で通話状態にある第一のＩＰ電話端末からのパーク指示を受けて、第二のＩＰ電話端末との接続を切断すると共に、切断された第二のＩＰ電話端末と上記サーバとを接続してパーク保留する一方、上記パーク指示を出した第一の前記ＩＰ電話端末からパーク解除指示があったとき、前記第二のＩＰ電話端末と上記サーバとのパーク保留を解除すると共に、前記第一のＩＰ電話端末と前記第二のＩＰ電話端末との接続を復元するパーク装置と
を備えることを特徴とするＩＰ電話システム。
【請求項２】
前記パーク装置は、前記ＩＰ電話端末間で行われる通信毎に割付される個別の識別番号により前記パーク指示を出した上記ＩＰ電話端末を識別するパーク管理テーブルと、
このパーク管理テーブルに保持された前記識別番号に相当する前記ＩＰ電話端末のパーク指示に従い、該ＩＰ電話端末が行う通信を保留または復帰させるパーク制御部と
を備えることを特徴とする請求項１に記載のＩＰ電話システム。
【請求項３】
インターネット・プロトコルに準拠した複数のＩＰ電話端末と、これら複数のＩＰ電話端末における接続管理を所定の通信プロトコルに基づいて制御するサーバおよび各ＩＰ電話端末からのパーク指示を受けて該ＩＰ電話端末間のパーク制御をする複数のパーク装置とがネットワークに接続されたＩＰ電話システムであって、
前記サーバは、上記ネットワークに接続された前記複数のＩＰ電話端末の接続情報を保持するユーザ情報テーブルと、
このユーザ情報テーブルに保持された前記接続情報の登録更新処理および読み出し処理を行うユーザ登録管理部と、
このユーザ登録管理部を介して読み出された前記ユーザ情報に基づき前記複数のＩＰ電話端末に対する呼制御を行うサーバ呼制御実行部と
を具備し、
前記各パーク装置は、互いに異なる所定のパーク番号を保持するパーク管理テーブルと、
前記複数のＩＰ電話端末に対する呼制御を行うパーク呼制御実行部と、
前記ＩＰ電話端末間で通話状態にある第一のＩＰ電話端末からのパーク番号およびパーク指令を受けて、このパーク番号と前記パーク管理テーブルに保持したパーク番号とが一致したとき、第二のＩＰ電話端末との接続を切断すると共に、切断された第二のＩＰ電話端末と上記サーバとを接続してパーク保留する一方、上記パーク指示を出した第一の前記ＩＰ電話端末からパーク番号およびパーク解除指示を受けて、このパーク番号と前記パーク管理テーブルに保持したパーク番号とが一致したとき、前記第二のＩＰ電話端末と上記サーバとのパーク保留を解除すると共に、前記第一のＩＰ電話端末と前記第二のＩＰ電話端末との接続を復元するパーク制御部と
を備えることを特徴とするＩＰ電話システム。
【請求項４】
前記所定の通信プロトコルは、セッション・イニシエーション・プロトコル（ＲＦＣ３２６１）に基づくものである請求項１または２に記載のＩＰ電話システム。
【発明の詳細な説明】
【技術分野】
【０００１】
本発明はＩＰ電話システムに係り、特にＳＩＰプロトコル上で作動する端末装置に影響を及ぼすことなくパーク機能を実現するに好適なＩＰ電話システムに関する。
【背景技術】
【０００２】
近時、インターネット・プロトコルを利用したＩＰ電話システムが普及してきている。このＩＰ電話システムに用いられるＩＰ電話端末は、ネットワークに接続するためのネットワークインタフェースを備え、例えばＬＡＮ（ローカル・エリア・ネットワーク）に接続される。この種のＩＰ電話は、インターネット・プロトコル上での通話を実現すべくＩＰ電話間の接続管理を行うサーバ（ＳＩＰサーバ）がネットワークに接続されて、このＳＩＰサーバを介して通信が行われる。ちなみにＳＩＰサーバは、複数の電話端末間でなされるインタラクティブ通信のセッションの開始、終了および変更を制御するために定義されたプロトコルを管理する機能を備えたものである。このように構成されたＩＰ電話システムは、公衆通信回線を利用した音声通信に比べて通信費を安く抑えることが可能であるほか、インターネットへの接続環境を有効に活用できることから複数の電話端末が必要な企業向けへの応用が進んでいる（例えば、特許文献１を参照）。
【０００３】
一方、従来から企業内では、複数のボタンを供えたボタン電話機が用いられて、例えば外線（局線）通話と内線通話との切り換えや、必要に応じて通話を保留・待機させる通話保留が実現されている（例えば、特許文献２を参照）。この特許文献２に記載のボタン電話機の通話保留方法は、局線からの着信を保留するためのパーク保留ボタンを複数備えてなるボタン電話機を、複数収納するボタン電話装置（主装置）が制御することによってなされる。具体的に主装置は、ボタン電話機間で内線通話を行う場合、この主装置が収納するボタン電話機からの発呼要求を受けて、この主装置が管理する他のボタン電話機に対して着呼処理を行う。このように構成されたボタン電話機のシステムにあっては、内線を用いて相互通話を行っているときに、この通話を一時的に保留する必要がある場合、一方のボタン電話機からの通話を保留すべく保留ボタンが押下される。すると主装置と他方のボタン電話機との間は、接続を維持したまま保留状態（パーク保留状態）に遷移する。その後、主装置は、保留指示を出した一方のボタン電話機から、この保留を解除するパークアウト指示が主装置に対して出されると、保留中であった他方のボタン電話機との通話を許可すべくボタン電話機間の接続を復帰させる。
【特許文献１】特開２００２−１５２２２４号公報
【特許文献２】特許３４７１３７１号公報
【発明の開示】
【発明が解決しようとする課題】
【０００４】
ところで上述したＩＰ電話システムは、ＩＰ電話端末間の発着呼および終話のとき、ＳＩＰサーバから通話相手方の接続情報（ＩＰアドレス）を受け取っているものの、ＳＩＰサーバはＩＰ電話端末間での通話において何ら関与をするものではない。つまり、ＳＩＰサーバは、従来のボタン電話機における主装置のように、常に通話に関与しているわけではない。このため上述したＩＰ電話にあっては、従来のボタン電話機が備える保留機能を実現できないという問題があった。
【０００５】
本発明は、このような従来の事情に基づいてなされたもので、その目的は、ＩＰ電話システムにおいて、ＳＩＰプロトコル上で作動する端末装置に影響を及ぼすことなく、パーク機能を実現できるＩＰ電話システムを提供しようとするものである。
【課題を解決するための手段】
【０００６】
上述した目的を達成するべく、本発明に係るＩＰ電話システムは、インターネット・プロトコルに準拠した複数のＩＰ電話端末と、これら複数のＩＰ電話端末における接続管理を所定の通信プロトコルに基づいて制御するサーバとがネットワークに接続されたＩＰ電話システムであって、
前記サーバは、上記ネットワークに接続された前記複数のＩＰ電話端末の接続情報を保持するユーザ情報テーブルと、このユーザ情報テーブルに保持された前記接続情報の登録更新処理および読み出し処理を行うユーザ登録管理部と、このユーザ登録管理部を介して読み出された前記ユーザ情報に基づき前記複数のＩＰ電話端末に対する呼制御を行う呼制御実行部と、前記ＩＰ電話端末間で通話状態にある第一のＩＰ電話端末からのパーク指示を受けて、第二のＩＰ電話端末との接続を切断すると共に、切断された第二のＩＰ電話端末と上記サーバとを接続してパーク保留する一方、上記パーク指示を出した第一の前記ＩＰ電話端末からパーク解除指示があったとき、前記第二のＩＰ電話端末と上記サーバとのパーク保留を解除すると共に、前記第一のＩＰ電話端末と前記第二のＩＰ電話端末との接続を復元するパーク装置とを備えることを特徴としている。
【０００７】
上述のＩＰ電話システムによれば、ＩＰ電話装置間でなされる通信において、論理的な接続を絶つことなく、例えば保留ボタンを押下することで、一時的にその回線を保留状態（パーク状態）に設定することができる。そして、保留状態を解除するには、再び保留ボタンを押下する等すればよい。
好ましくは、前記パーク装置は、前記ＩＰ電話端末間で行われる通信毎に割付される個別の識別番号により前記パーク指示を出した上記ＩＰ電話端末を識別するパーク管理テーブルと、
このパーク管理テーブルに保持された前記識別番号に相当する前記ＩＰ電話端末のパーク指示に従い、該ＩＰ電話端末が行う通信を保留または復帰させるパーク制御部とを備えることが望ましい。
【０００８】
上述のＩＰ電話システムによれば、パーク指示を出したＩＰ電話端末をパーク管理テーブルに保持すると共に、ＩＰ電話端末から出されたパーク解除指令を、パーク管理テーブルに保持された情報からパークから復帰し、パーク前のＩＰ電話端末間の通信を復帰させることができる。
また、本発明に係るＩＰ電話システムは、インターネット・プロトコルに準拠した複数のＩＰ電話端末と、これら複数のＩＰ電話端末における接続管理を所定の通信プロトコルに基づいて制御するサーバおよび各ＩＰ電話端末からのパーク指示を受けて該ＩＰ電話端末間のパーク制御をする複数のパーク装置とがネットワークに接続されたＩＰ電話システムであって、
前記サーバは、上記ネットワークに接続された前記複数のＩＰ電話端末の接続情報を保持するユーザ情報テーブルと、このユーザ情報テーブルに保持された前記接続情報の登録更新処理および読み出し処理を行うユーザ登録管理部と、このユーザ登録管理部を介して読出された前記ユーザ情報に基づき前記複数のＩＰ電話端末に対する呼制御を行うサーバ呼制御実行部とを具備し、
前記各パーク装置は、互いに異なる所定のパーク番号を保持するパーク管理テーブルと、前記複数のＩＰ電話端末に対する呼制御を行うパーク呼制御実行部と、前記ＩＰ電話端末間で通話状態にある第一のＩＰ電話端末からのパーク番号およびパーク指令を受けて、このパーク番号と前記パーク管理テーブルに保持したパーク番号とが一致したとき、第二のＩＰ電話端末との接続を切断すると共に、切断された第二のＩＰ電話端末と上記サーバとを接続してパーク保留する一方、上記パーク指示を出した第一の前記ＩＰ電話端末からパーク番号およびパーク解除指示を受けて、このパーク番号と前記パーク管理テーブルに保持したパーク番号とが一致したとき、前記第二のＩＰ電話端末と上記サーバとのパーク保留を解除すると共に、前記第一のＩＰ電話端末と前記第二のＩＰ電話端末との接続を復元するパーク制御部とを備えることを特徴としている。
【０００９】
上述のＩＰ電話システムは、ネットワークに接続された複数のＩＰ電話端末からパーク指令と共に出力されるパーク番号と、予め保持されたパーク番号と一致するパーク装置が、ＩＰ電話端末間でなされている通話のパーク処理を実行する。そしてパーク装置は、ＩＰ電話端末からパーク解除指令が出されたとき、このパーク解除指令と共に出力されたパーク番号と一致したとき、パーク処理中のＩＰ電話端末間の通話を復帰させる。
【００１０】
ちなみに上述した所定の通信プロトコルは、セッション・イニシエーション・プロトコル（ＲＦＣ３２６１）に基づくものとして構成される。
上述のＩＰ電話システムは、ＩＥＴＦ（Internet Engineering Task Force）のＲＦＣ（Request for comments）３２６１（ＳＩＰ：Session Initiation Protocol）の規定に準拠したもので、この通信プロトコルに基づいてなされる通信を妨げることなく、パーク機能を実現する。
【発明の効果】
【００１１】
以上説明したように本発明に係るＩＰ電話システムは、パーク装置を備えているので、ＩＰ電話端末間で通話状態にあるとき、一方のＩＰ電話端末からのパーク指示が出されたとき、他方のＩＰ電話端末との接続を切断すると共に、切断された第二のＩＰ電話端末とサーバとを接続してパーク保留する。また、本発明に係るＩＰ電話システムは、パーク装置によってパーク指示を出したＩＰ電話端末からパーク解除指示があったとき、保留側のＩＰ電話端末と上記サーバとのパーク保留を解除すると共に、前記第一のＩＰ電話端末と前記第二のＩＰ電話端末との接続を復元することができる。
【００１２】
特に、本発明に係るＩＰ電話システムは、パーク番号に基づいてパーク処理を行っているので、複数のパーク処理を効率よく行うことが可能となると共に、ＳＩＰに規定される通信を妨げることなく、簡易にしてしかも容易にパーク機能を実現できる等の実用上多大なる効果を奏する。
【発明を実施するための最良の形態】
【００１３】
以下、本発明に係るＩＰ電話システムの一実施形態について図面を参照しながら説明する。ちなみに、この図は、本発明に係るＩＰ電話システムの一実施形態を示すものであって、この図によって本発明のＩＰ電話システムが限定されるものではない。
この図において１は、ＬＡＮ等に適用される通信回線であり、後述する複数のＩＰ電話端末１０やＩＰ電話端末１０の通話制御を行うＳＩＰサーバ２０が接続される。
【００１４】
ＩＰ電話端末１０には、このＬＡＮを介して通信を行うＬＡＮインタフェース１１と、このＬＡＮインタフェース１１を介して通話呼の処理を行う呼制御実行部１２が設けられている。また、ＩＰ電話端末１０は、ＩＰ電話端末１０に対する種々の設定を行うため、たとえば図示しないキーボード（押しボタンスイッチ）から入力される設定情報を受け付ける入力部１３、および特に図示しないがＩＰ電話端末１０のステータス（例えば発信先電話番号、時刻情報、内線番号、着信先電話番号）を使用者に示す表示部１４が設けられる。具体的に表示部１４は、液晶表示板（ＬＣＤパネル）などの表示用デバイスが用いられる。そして、ＩＰ電話端末１０には、これらの各部を統括し、ＩＰ電話端末１０全体の制御を司る端末制御部１５が設けられている。
【００１５】
一方、ＳＩＰサーバ２０は、ＬＡＮを介して通信を行うＬＡＮインタフェース２１と、このＬＡＮインタフェース２１を介して通話呼の処理を行う呼制御実行部２２が設けられている。この呼制御実行部２２は、ＳＩＰサーバ２０に設けられてＬＡＮ１に接続された複数のＩＰ電話端末１０を使用するユーザ情報が登録されているデータベース２３を読み書きするユーザ登録管理部２４を介して実行される。
【００１６】
またＳＩＰサーバ２０には、詳細は後述するが、ＬＡＮ１に接続される複数のＩＰ電話端末１０から出されるパーク指令（保留指令）およびパーク解除指令（保留解除指令）を受け付けるパーク制御部３１が設けられている。このパーク制御部３１は、パーク指令およびパーク解除指令を出したＩＰ電話端末１０を識別するパーク管理テーブル３２を備え、パーク装置３０を構成する。
【００１７】
このように構成された本発明に係るＩＰ電話システムが特徴とするところは、ＩＰ電話端末１０間で通話状態にある一方のＩＰ電話端末１０からのパーク指示を受けて、他方のＩＰ電話端末１０との間の接続を切断すると共に、切断された側のＩＰ電話端末１０とＳＩＰサーバ２０とを接続して通話状態を維持（パークイン）する一方、パーク指示を出した一方のＩＰ電話端末１０からのパーク解除指示があったとき、パーク状態にある他方のＩＰ電話端末１０とＳＩＰサーバ２０とのパーク状態を解除（パークアウト）すると共に、ＩＰ電話端末１０間の接続を復元するパーク装置を備えた点にある。
【００１８】
このような特徴ある本発明のＩＰ電話システムに関し、より詳細に説明する。図２は、本発明に係るＩＰ電話システムにおけるパークイン処理シーケンスを示す図である。この図は、予めＳＩＰプロトコルによってＩＰ電話端末１０（端末装置Ａおよび端末装置Ｂ）とが接続され、相互に通話を行っている状態からのパークイン処理を示している。
まず、一方のＩＰ電話端末１０（以下、端末装置Ａと称する）は、通話中の他方のＩＰ電話端末１０（以下、端末装置Ｂと称する）との通話を保留するパーク状態に移行するとき、該端末装置Ａに設けられたＰＡＲＫキー（図示せず）を押下する。すると端末装置Ａは、端末装置Ｂとの通話を保留するメッセージ（ＩＮＶＩＴＥメッセージ）をＳＩＰサーバ２０に送信する（ステップＳ１）。
【００１９】
ＩＮＶＩＴＥメッセージを受けたＳＩＰサーバ２０は、端末装置Ｂに対して、ステップＳ１で受け取ったＩＮＶＩＴＥメッセージを送出する（ステップＳ２）。端末装置Ｂは、ステップＳ２でＳＩＰサーバ２０から送出されたＩＮＶＩＴＥメッセージを受信すると、２００ＯＫメッセージをＳＩＰサーバ２０に返信し、このＩＮＶＩＴＥメッセージを受理したこと通知する（ステップＳ３）。
【００２０】
するとＳＩＰサーバ２０は、端末装置Ａに対して、端末装置ＢがＩＮＶＩＴＥメッセージを受理したことを示す２００ＯＫメッセージを送信する（ステップＳ４）。一方、このメッセージを受けた端末装置Ａは、ＩＮＶＩＴＥメッセージを受信したことを示すＡＣＫ了解メッセージをＳＩＰサーバ２０に送出し（ステップＳ５）、端末装置Ｂとの通話を保留することに関し、了解したことを通知する。次いでＳＩＰサーバ２０は、端末装置Ａが出力したＡＣＫ了解メッセージを受けて、端末装置ＢにＡＣＫ了解メッセージを送信する（ステップＳ６）。これによって、端末装置Ａと端末装置Ｂとの間の通話は保留状態になる。
【００２１】
次に端末装置Ａは、ＳＩＰサーバ２０に対してパーク装置への通話転送を行うべくＩＮＶＩＴＥメッセージを送信する（ステップＳ７）。ＳＩＰサーバ２０は、このＩＮＶＩＴＥメッセージを受け、パーク装置３０にＩＮＶＩＴＥメッセージを送信する（ステップＳ８）。パーク装置３０は、ステップＳ８でＩＮＶＩＴＥメッセージを受信すると、２００ＯＫメッセージをＳＩＰサーバ２０に送信し、ＩＮＶＩＴＥメッセージ受理を通知する（ステップＳ９）。
【００２２】
ＳＩＰサーバ２０は、ステップＳ９でパーク装置３０から送信されたＩＮＶＩＴＥメッセージ受理通知（２００ＯＫ）を端末装置Ａに送信する（ステップＳ１０）。すると端末装置Ａは、２００ＯＫメッセージを受信したことを示すＡＣＫ了解メッセージをＳＩＰサーバ２０に送信してパーク装置３０との通話了解を通知する（ステップＳ１１）。
ＳＩＰサーバ２０は、ステップＳ１１で端末装置Ａがパーク装置３０に対して送信したＡＣＫ了解メッセージを送信する（ステップＳ１２）。これにより端末装置Ａとパーク装置３０との間は、通話状態に移行する。
【００２３】
そして端末装置Ａは、端末装置Ｂに対してパーク装置３０との間の通話を転送するため、ＲＥＦＥＲ転送メッセージをＳＩＰサーバ２０に送信する（ステップＳ１３）。このときＲＥＦＥＲ転送メッセージ内のＲｅｆｅｒ−Ｔｏに、パーク装置のＵＲＩ（ＳＩＰ：パーク装置＠ＰＲＯＸＹ）を設定する。するとＳＩＰサーバ２０は、端末装置Ｂに対してＲＥＦＥＲ転送メッセージを送信する（ステップＳ１４）。
【００２４】
一方、端末装置Ｂは、ステップＳ１４でなされたＲＥＦＥＲ転送メッセージを受信すると２０２ＡｃｃｅｐｔｅｄメッセージをＳＩＰサーバ２０に送信してＲＥＦＥＲ転送メッセージ受理を通知する（ステップＳ１５）。この２０２Ａｃｃｅｐｔｅｄメッセージを受けたＳＩＰサーバ２０は、端末装置Ａに２０２Ａｃｃｅｐｔｅｄメッセージを送信する（ステップＳ１６）。
【００２５】
また端末装置Ｂは、ステップＳ１５において２０２ＡｃｃｅｐｔｅｄメッセージをＳＩＰサーバ２０に送信した後、ＲＥＦＥＲ転送メッセージ内のＲｅｆｅｒ−Ｔｏに設定されているＳＩＰサーバ２０のＵＲＩ（例えばＳＩＰ：パーク装置＠ＰＲＯＸＹ）に従って、ＳＩＰサーバ２０との通話を行うＩＮＶＩＴＥメッセージをＳＩＰサーバ２０に送信する（ステップＳ１７）。
【００２６】
するとＳＩＰサーバ２０は、ステップＳ１７で受信したＩＮＶＩＴＥメッセージをパーク装置３０に送信する（ステップＳ１８）。このＩＮＶＩＴＥメッセージを受信したパーク装置３０は、メッセージを受理したことを２００ＯＫメッセージとしてＳＩＰサーバ２０に送信して通知する（ステップＳ１９）。
次いでＳＩＰサーバ２０は、ステップＳ１９で受信した２００ＯＫメッセージを端末装置Ｂに送信する（ステップＳ２０）。端末装置Ｂは、ステップＳ２０で２００ＯＫメッセージを受信すると、ＡＣＫ了解メッセージをＳＩＰサーバ２０に送信してパーク装置３０との通話了解を通知する（ステップＳ２１）。この通話了解を受けたＳＩＰサーバ２０は、パーク装置３０にＡＣＫ了解メッセージを送信する（ステップＳ２２）。これにより端末装置Ｂとパーク装置３０との間がパーク保留状態となる。
【００２７】
そしてパーク装置３０はステップＳ７からステップＳ１２によって確立した端末装置Ａとの通話を切断するため、ＳＩＰサーバ２０に対し、ＢＹＥ切断メッセージを送信する（ステップＳ２３）。このＢＹＥ切断メッセージを受信したＳＩＰサーバ２０は、このメッセージを端末装置Ａに送信する（ステップＳ２４）。すると端末装置Ａは、ステップＳ２４でＢＹＥ切断メッセージを受けて、通話切断を了解する２００ＯＫメッセージをＳＩＰサーバ２０に送信する（ステップＳ２５）。そしてＳＩＰサーバ２０は、ステップＳ２５で受信した２００ＯＫメッセージをパーク装置に送信する（ステップＳ２６）。
【００２８】
端末装置Ｂは、ステップＳ１４によって転送が完了したこと端末装置Ａに通知すべくＮＯＴＩＦＹメッセージをＳＩＰサーバ２０に送信する（ステップＳ２７）。ちなみに、このＮＯＴＩＦＹメッセージにはＲＥＦＥＲ転送メッセージに対する２００ＯＫメッセージを設定する。するとＳＩＰサーバ２０は、ステップＳ２６で受信したＮＯＴＩＦＹメッセージを端末装置Ａに送信する（ステップＳ２８）。
【００２９】
一方、端末装置Ａは、ステップＳ２８でＮＯＴＩＦＹメッセージを受信すると２００ＯＫメッセージをＳＩＰサーバ２０に送信し、ＮＯＴＩＦＹメッセージ受理を通知する（ステップＳ２９）。するとＳＩＰサーバ２０は、ステップＳ２９で受信した２００ＯＫメッセージを端末装置Ｂに送信する（ステップＳ３０）。
他方、端末装置Ａは、ステップＳ２８において２００ＯＫメッセージを確認し、ステップＳ１からステップＳ６において確立した保留を切断するためＢＹＥ切断メッセージをＳＩＰサーバ２０に送信する（ステップＳ３１）。このＢＹＥ切断メッセージを受信したＳＩＰサーバ２０は、端末装置Ｂに対してＢＹＥ切断メッセージを送信する（ステップＳ３２）。このＢＹＥ切断メッセージを受信した端末装置Ｂは、２００ＯＫメッセージをＳＩＰサーバに送信してＢＹＥ切断メッセージ受理を通知する（ステップＳ３３）。するとＳＩＰ３３は、端末装置Ａに対して２００ＯＫメッセージ（Ｆ３４）を送信する（ステップＳ３４）。
【００３０】
このようにして端末装置Ａと端末装置Ｂとの間の通話はパーク装置３０と端末装置Ｂに転送される（パークイン完了）。
次に、このようにしてパークインした端末装置Ａと端末装置Ｂとのパークを解除して、再び端末装置Ａと端末装置Ｂとの通話を復帰（パークアウト）させる場合について、図３に示すパークアウト処理シーケンスに基づいて説明する。
【００３１】
まず、端末装置Ａは、パークインされている呼を確保するために端末装置Ａが備えるＰＡＲＫキー（図示せず）を押下する。すると端末装置Ａは、ＩＮＶＩＴＥメッセージをＳＩＰサーバ２０に送信する（ステップＳ３５）。このメッセージを受けたＳＩＰサーバ２０は、ＩＮＶＩＴＥメッセージをパーク装置３０に送信する（ステップＳ３６）。
するとパーク装置３０は、ステップＳ３６にてＩＮＶＩＴＥメッセージを受信すると、２００ＯＫメッセージをＳＩＰサーバ２０に送信してＩＮＶＩＴＥメッセージ受理を通知する（ステップＳ３７）。そして、ＳＩＰサーバ２０は、ステップＳ３７でパーク装置３０がＩＮＶＩＴＥメッセージを受理したことを示す２００ＯＫメッセージを端末装置Ａに送信する（ステップＳ３８）。この２００ＯＫメッセージを受信した端末装置Ａは、ＡＣＫ了解メッセージを送信し、パーク装置３０との通話了解を通知する（ステップＳ３９）。
【００３２】
するとＳＩＰサーバ２０は、パーク装置３０にＡＣＫ了解メッセージを送信する（ステップＳ４０）。これによりパーク装置３０と端末装置Ａとの間は通話状態に移行する。
次いでパーク装置３０は、端末装置Ｂにパーク中の通話を転送するためにＲＥＦＥＲ転送メッセージを送信する（ステップＳ４１）。このときＲＥＦＥＲ転送メッセージ内には、Ｒｅｆｅｒ−Ｔｏに端末装置ＡのＵＲＩ（例えばＳＩＰ：ＫＴ１＠ＰＲＯＸＹ）を設定する。そしてＳＩＰサーバ２０は、ＲＥＦＥＲ転送メッセージを端末装置Ｂに送信する（ステップＳ４２）。
【００３３】
このとき端末装置Ｂは、ステップＳ４１のＲＥＦＥＲ転送メッセージを受信すると２０２ＡｃｃｅｐｔｅｄメッセージをＳＩＰサーバ２０に送信してＲＥＦＥＲ転送メッセージ受理を通知する（ステップＳ４３）。するとＳＩＰサーバ２０は、パーク装置３０に対して、この２０２Ａｃｃｅｐｔｅｄメッセージを送信する（ステップＳ４４）。
一方、端末装置Ｂは、ステップＳ４３でＳＩＰサーバ２０に２０２Ａｃｃｅｐｔｅｄメッセージを送信した後、ＲＥＦＥＲ転送メッセージ内のＲｅｆｅｒ−Ｔｏに設定されているＵＲＩ（例えばＳＩＰ：ＫＴ１＠ＰＲＯＸＹ）に従って、ＩＮＶＩＴＥメッセージをＳＩＰサーバ２０に送信する（ステップＳ４５）。そしてＳＩＰサーバ２０は、ＩＮＶＩＴＥメッセージを端末装置Ａに送信する（ステップＳ４６）。
【００３４】
端末装置Ａは、ステップＳ４６でのＩＮＶＩＴＥメッセージを受信すると、２００ＯＫメッセージをＳＩＰサーバ２０に送信してＩＮＶＩＴＥメッセージ受理を通知する（ステップＳ４７）。するとＳＩＰサーバ２０は、ステップＳ４７において受信した２００ＯＫメッセージを端末装置Ｂに送信する（ステップＳ４８）。この２００ＯＫメッセージを受信した端末装置Ｂは、ＡＣＫ了解メッセージをＳＩＰサーバ２０に送信し、端末装置Ａとの通話了解を通知する（ステップＳ４９）。するとＳＩＰサーバ２０は、端末装置ＡにＡＣＫ了解メッセージを送信する（ステップＳ５０）。そうして端末装置Ａと端末装置Ｂとの間は通話状態に移行する。
【００３５】
次いで端末装置Ａは、ステップＳ３５からステップＳ４０によって確立した通話を切断するためにＢＹＥ切断メッセージをＳＩＰサーバ２０に送信する（ステップＳ５１）。このメッセージを受けたＳＩＰサーバ２０は、ＢＹＥ切断メッセージをパーク装置３０に送信する（ステップＳ５２）。するとパーク装置３０は、この通話の切断を了解する２００ＯＫメッセージをＳＩＰサーバ２０に送信する（ステップＳ５３）。ステップＳ３５で２００ＯＫメッセージを受信したＳＩＰサーバ２０は、２００ＯＫメッセージを端末装置Ａに送信する（ステップＳ５４）。
【００３６】
一方、端末装置Ｂは、ステップＳ４５によって転送が完了したことをパーク装置３０に通知するべく、ＮＯＴＩＦＹメッセージを送信する（ステップＳ５５）。このＮＯＴＩＦＹメッセージは、ＲＥＦＥＲ転送メッセージに対する２００ＯＫメッセージを設定するものである。そして、ＳＩＰサーバ２０は、このＮＯＴＩＦＹメッセージをパーク装置３０に送信する（ステップＳ５６）。
【００３７】
パーク装置３０は、ステップＳ５６でＮＯＴＩＦＹメッセージを受信すると、２００ＯＫメッセージをＳＩＰサーバ２０に送信し、ＮＯＴＩＦＹメッセージ受理を通知する（ステップＳ５７）。するとＳＩＰサーバ２０は、ステップＳ５７で受信した２００ＯＫメッセージを端末装置Ａに送信する（ステップＳ５８）。
パーク装置３０は、ステップＳ５８で２００ＯＫメッセージを受信するとステップＳ１７からステップＳ２２によって確立したパーク保留を解除するためＢＹＥ切断メッセージをＳＩＰサーバ２０に送信する（ステップＳ５９）。このメッセージを受けたＳＩＰサーバ２０は、ＢＹＥ切断メッセージを端末装置Ｂに送信する（ステップＳ６０）。すると端末装置Ｂは、ＢＹＥ切断メッセージ受理を通知するべく、２００ＯＫメッセージをＳＩＰサーバ２０に送信する（ステップＳ６１）。次いでＳＩＰサーバ２０は、ステップＳ６１で受信した２００ＯＫメッセージをパーク装置３０に送信する（ステップＳ６２）。このようにしてパークインされていた通話は、端末装置Ａと端末装置Ｂとの間の通話状態に移行しパーク状態が解除される（パークアウト完了）。
【００３８】
かくして本発明のパーク装置は、上述したようにＳＩＰサーバ２０を介してＳＩＰプロトコルにおけるＲｅｆｅｒ機能を利用し、端末装置の間の通信をパーク装置３０と一方の端末装置との通話として転送してパーク機能を実現している。このためＳＩＰプロトコルに規定される通信規約に反することなくパーク機能を実現することができる。したがってパーク機能を有しないＩＰ電話装置が同一ネットワーク１に混在してもかまわない。また既存のＩＰ電話端末１０を用いてパーク機能を実現するには、該ＩＰ電話端末１０のソフトウェアの一部を改変するだけでよい。
【００３９】
次に本発明のＩＰ電話システムの別の実施形態に関し、この別の実施形態を示す図４を用いて説明する。この別の実施形態が上述した実施形態と異なるところは、ＳＩＰサーバ２０内にあったパーク装置３０を分けると共に、このパーク装置３０を複数台、ネットワーク１に接続して構成した点にある。ちなみにパークインおよびパークアウトの処理シーケンスは、上述した図２および図３に示す処理シーケンスと同様である。
【００４０】
そこでこのように構成された本発明のＩＰ電話システムの別の実施形態におけるＳＩＰサーバ２０の他の機能およびパーク装置３０内の機能については、上述した実施形態と同様であり、それぞれ同符号を付すと共に、その説明を省略する。
さて、本発明の別の実施形態にかかるＩＰ電話システムにおけるパーク装置３０は、概略的にはネットワーク１に接続される複数のＩＰ電話端末１０と同様なソフトウェア構造をとっている。そして、ネットワーク１に接続される各パーク装置３０には、それぞれ異なる重複しないパーク番号が予め割り付けられたものとなっている。そして、パークインまたはパークアウトの際、ＩＰ電話端末１０から出力されるパーク番号と一致するパーク装置３０が、係るパークインまたはパークアウト処理を実行する。具体的には、上述したステップＳ７〜Ｓ１０，Ｓ１３，Ｓ１４，Ｓ３５およびステップＳ３６において送信するメッセージにパーク番号を載せ、そのパーク番号と一致するパーク装置３０にパーク処理を行わせればよい。このようにすることで、複数のパーク処理を同時に行うことが可能となる。
【００４１】
詳しくは、上述した図２に示すパークイン時の処理シーケンスを参照しながら、異なる点について言及する。ちなみに以下の説明において、上述した図２または図３に示す処理シーケンスと異なる部位については、ステップ番号に添え字［ａ］を付与するこことし、特に図示は行わないこととする。
さて、ステップＳ７において端末装置Ａは、ＳＩＰサーバ２０に対してパーク装置への通話転送を行うべく任意のパーク番後を付与したＩＮＶＩＴＥメッセージを送信する（ステップＳ７ａ）。次いでＳＩＰサーバ２０は、このＩＮＶＩＴＥメッセージを受け、複数のパーク装置３０に対してステップＳ７ａで付与されたパーク番号を含むＩＮＶＩＴＥメッセージを送信する（ステップＳ８ａ）。各パーク装置３０は、ステップＳ８ａで送信されたＩＮＶＩＴＥメッセージに含まれるパーク番号と、予めパーク装置３０毎に割り付けられたパーク番号とが一致するかを判定する。そして、パーク番号が一致したパーク装置３０は、２００ＯＫメッセージをＳＩＰサーバ２０に送信し、パーク番号を含むＩＮＶＩＴＥメッセージ受理を通知する（ステップＳ９ａ）。ＳＩＰサーバ２０は、ステップＳ９ａでパーク装置３０から送信されたＩＮＶＩＴＥメッセージ受理通知（２００ＯＫ）をパーク番号を含むメッセージとして端末装置Ａに送信する（ステップＳ１０ａ）。
【００４２】
また、図２のステップＳ１３において端末装置Ａは、端末装置Ｂに対してパーク装置３０との間の通話を転送するため、前述したパーク番号を含むＲＥＦＥＲ転送メッセージをＳＩＰサーバ２０に送信する（ステップＳ１３ａ）。このときＲＥＦＥＲ転送メッセージ内のＲｅｆｅｒ−Ｔｏに、パーク装置のＵＲＩ（ＳＩＰ：パーク装置＠ＰＲＯＸＹ）を設定する。するとＳＩＰサーバ２０は、端末装置Ｂに対してパーク番号を含むＲＥＦＥＲ転送メッセージを送信する（ステップＳ１４ａ）。
【００４３】
一方、図３のパークアウト処理シーケンスを示す図においてステップＳ３５で端末装置Ａは、ＩＮＶＩＴＥメッセージと共に、パークイン時に指定したパーク番号をＳＩＰサーバ２０に送信する（ステップＳ３５ａ）。このメッセージを受けたＳＩＰサーバ２０は、ステップＳ３５で端末装置Ａが送出したパーク番号を含むＩＮＶＩＴＥメッセージを各パーク装置３０に送信する（ステップＳ３６ａ）。パーク装置３０は、ステップＳ３６にてＩＮＶＩＴＥメッセージを受信すると、２００ＯＫメッセージをＳＩＰサーバ２０に送信してＩＮＶＩＴＥメッセージ受理を通知する（ステップＳ３７）。各パーク装置３０は、ステップＳ３６ａで送信されたＩＮＶＩＴＥメッセージに含まれるパーク番号と、予めパーク装置３０毎に割り付けられたパーク番号とが一致するかを判定する。そして、パーク番号が一致したパーク装置３０は、２００ＯＫメッセージをＳＩＰサーバ２０に送信し、パーク番号を含むＩＮＶＩＴＥメッセージ受理を通知する（ステップＳ３７ａ）。
【００４４】
かくしてこのように構成された本発明の別の実施形態に係るＩＰ電話システムによれば、複数のパーク装置３０にそれぞれ異なるパーク番号を予め付与すると共に、このパーク番号と一致するパーク番号を送出したＩＰ電話端末１０のパーク処理を行っている。このため、同時に複数のＩＰ電話端末１０から出されるパーク要求に対応することが可能となる。
【００４５】
尚、本発明のＩＰ電話システムは、上記した実施の形態に限定されるものではなく、本発明の要旨を逸脱しない範囲内において種々変更を加え得ることは勿論可能である。
【図面の簡単な説明】
【００４６】
【図１】本発明の一実施形態に係るＩＰ電話システムの概略構成を示すブロック図。
【図２】図１に示すＩＰ電話システムにおいて、パークイン処理の一例を示すシーケンス図。
【図３】図２に示すＩＰ電話システムにおいて、パークアウト処理の一例を示すシーケンス図。
【図４】本発明の別の実施形態に係るＩＰ電話システムの概略構成を示す図。
【符号の説明】
【００４７】
１      ネットワーク
１０      電話端末
１１      インタフェース
１２      呼制御実行部
１３      入力部
１４      表示部
１５      端末制御部
２０      サーバ
２１      インタフェース
２２      呼制御実行部
２３      データベース
２４      ユーザ登録管理部
３０      パーク装置
３１      パーク制御部
３２      パーク管理テーブル
【図１】
2006217256.tif 000003
【図２】
2006217256.tif 000004
【図３】
2006217256.tif 000005
【図４】
2006217256.tif 000006